(57)【要約】【課題】コンクリート有効梁の補強金具１０内にスリーブＳを安定して保持し且つひびの発生し易い梁の貫通孔上側部分を補強するスリーブ固定補助金具を提供する。【解決手段】金属棒体を折り曲げて環状筋１１，１２を形成し、環状筋内に配置されるスリーブＳを支持するために環状筋内方へ上向きに突出するスリーブ支持筋１３を形成した補強金具１０と共に用いるスリーブ固定補助金具であって、１本の金属棒体を長方形に折り曲げて形成した横臥筋１と、横臥筋１に固着させたスリーブ押え筋２と、を備え、スリーブ支持筋１３により支持して環状筋内に配置したスリーブＳの上側において、横臥筋１を、長軸がスリーブＳの直径方向に沿い且つほぼ水平となるように環状筋１１，１２に固定し、横臥筋１から下向きに突出するスリーブ押え筋２の端部により、スリーブＳを上から押えるように使用する。【選択図】図２
2012052315.tif 000002
【特許請求の範囲】
【請求項１】
金属棒体を折り曲げて環状筋を形成すると共に、当該環状筋内に配置されるスリーブを支持するために該環状筋内方へ上向きに突出するスリーブ支持筋を形成した鉄筋コンクリート有孔梁の補強金具に対し、組み合わせて使用するスリーブ固定補助金具であって、
１本の金属棒体を長方形又は楕円形に折り曲げて形成した横臥筋と、該横臥筋に固着させたスリーブ押え筋と、を含んで構成され、
前記スリーブ支持筋により支持して前記環状筋内に配置したスリーブの上側において、前記横臥筋を、長軸が前記スリーブの直径方向に沿い且つほぼ水平となるように前記環状筋に固定し、該固定した横臥筋から下向きに突出する前記スリーブ押え筋の端部により、スリーブを上から押えるように使用する、スリーブ固定補助金具。
【請求項２】
前記スリーブ押え筋は、１本の金属棒体を“コ”字状に折り曲げて形成し、その２つの端部が、前記環状筋に固定した横臥筋から下向きに突出するように、前記横臥筋に固着させてある、請求項１記載のスリーブ固定補助金具。
【発明の詳細な説明】
【技術分野】
【０００１】
配管や配線等のための貫通孔を有する鉄筋コンクリートの有効梁において、その貫通孔周囲に配設される補強金具に関する技術が以下に開示される。
【背景技術】
【０００２】
鉄筋コクリート有効梁については、その貫通孔周囲のひび割れを防止するための補強手段として、特許文献１，２に示すような補強金具（補強筋）を貫通孔周囲に配設するようにしている。すなわち、１以上の金属棒体を折り曲げて円形や多辺形等とした一重以上の環状筋を形成し、貫通孔形成部位の主筋やあばら筋に結束して配設するものである。
【０００３】
このような補強金具においては、貫通孔形成部位にセットした後に、貫通孔を形成するためのスリーブが環状筋内に配置されることになる（特許文献１の図２や特許文献２の図３参照）。そのスリーブ配置にあたって、スリーブを下支えして所定の位置に保持するための支持手段が、補強金具に設けられている。この支持手段は、環状筋に交差（好ましくは直交）して環状筋内方へ上向きに突出するようにしたスリーブ支持筋で、特許文献１の「支持棒３」のように別体の金属棒を溶接したものや、特許文献２の「スリーブ保持手段１ａ，１ｂ」のように環状筋をなす金属棒体の両端を折り曲げ形成してなるものがある。
【先行技術文献】
【特許文献】
【０００４】
【特許文献１】特開２００３−０２０７５５号公報
【特許文献２】特開２００５−１８０１７５号公報
【発明の概要】
【発明が解決しようとする課題】
【０００５】
従来の工法では、上記のように補強金具の環状筋内に、スリーブ支持筋で位置決めしてスリーブを配置すると共に、針金（番線）をスリーブの胴囲に巻き付け、その端を主筋等に結束することで、コンクリート打設時にスリーブが動かないように固定している。しかし、コンクリート打設時の圧力や振動で針金が緩み、スリーブが位置ずれして後続の作業に影響してしまうことが少なからずある。位置ずれがあまり大きいと、補強金具に対するコンクリートの“かぶり”が保てず、極端な場合にはスリーブを取り去った後の貫通孔に補強金具が露出してしまうこともあって、改善の余地が存在している。
【０００６】
また、特許文献２の図面から分かるように、現在一般的な補強金具において、スリーブにより形成される梁の貫通孔の上側には、内側環状筋の角部が位置することになり、水平方向に筋の無い部位が比較的広く存在する。この梁の貫通孔上側部分は、経時的に一番ひびの発生し易い箇所なので、さらに補強できれば好ましい。
【課題を解決するための手段】
【０００７】
上記課題に対して提案するスリーブ固定補助金具は、金属棒体を折り曲げて環状筋を形成すると共に、当該環状筋内に配置されるスリーブを支持するために該環状筋内方へ上向きに突出するスリーブ支持筋を形成した鉄筋コンクリート有孔梁の補強金具に対し、組み合わせて使用するスリーブ固定補助金具であって、
１本の金属棒体を長方形又は楕円形に折り曲げて形成した横臥筋と、該横臥筋に固着させたスリーブ押え筋と、を含んで構成され、
前記スリーブ支持筋により支持して前記環状筋内に配置したスリーブの上側において、前記横臥筋を、長軸が前記スリーブの直径方向に沿い且つほぼ水平となるように前記環状筋に固定し、該固定した横臥筋から下向きに突出する前記スリーブ押え筋の端部により、スリーブを上から押えるように使用する、スリーブ固定補助金具である。
【発明の効果】
【０００８】
上記提案に係るスリーブ固定補助金具は、横臥筋を環状筋に、例えば結束して固定すると、下向きに突出するスリーブ押え筋の端部によって、スリーブ支持筋で支持したスリーブをさらに上方から押さえ付けることができる。これにより、金属棒体からなる補強金具のスリーブ支持筋と、同じく金属棒体からなる補助金具のスリーブ押え筋とで、上下からスリーブを挟み込んで固定する状態を得られるので、従来工法の針金による固定などと違ってコンクリート打設時の圧力や振動にも耐えてスリーブの位置をより確実に定位置に保持し得る。
また、当該スリーブ固定補助金具を使用すると、補強金具の環状筋内に配置されたスリーブの上側に、補助金具の横臥筋が水平方向に延在することになる。したがって、上述のように経時的に一番ひびの発生し易い箇所である梁の貫通孔上側部分が、横臥筋によって補強される。
【図面の簡単な説明】
【０００９】
【図１】スリーブ固定補助金具の第１実施形態を示した六面図。
【図２】第１実施形態に係るスリーブ固定補助金具の使用状態を説明する図。
【図３】スリーブ固定補助金具の第２実施形態を示した六面図。
【図４】スリーブ固定補助金具の第３実施形態を示した六面図。
【発明を実施するための形態】
【００１０】
図１及び図２を参照してスリーブ固定補助金具の第１実施形態を説明する。
第１実施形態のスリーブ固定補助金具は、正面から見て長方形（陸上競技トラックの形状も含む）の横臥筋１と、この横臥筋１に溶接等で固着させたスリーブ押え筋２と、を含んで構成される。横臥筋１及びスリーブ押え筋２ともに、１本の金属棒体を折り曲げて形成される。なお、横臥筋１が長方形である例を示すが、楕円形としても得られる作用効果はほぼ同じである。
【００１１】
横臥筋１は、１本の金属棒体を長方形に折り曲げて、端面を突き合わせて溶接することにより形成される。これにより横臥筋１は、２本の長辺１ａがその両端の短辺１ｂで連続した一筆書きのものとして形成される。溶接した突き合わせ端面は、横臥筋１の長辺１ａに位置させるのがよい。この横臥筋１に固着させるスリーブ押え筋２は、１本の金属棒体を“コ”字状に折り曲げて、２つの端部領域２ａとこれら端部領域２ａの間の中間領域２ｂとを形成した形状を有する。両端部領域２ａは、中間領域２ｂに対する角度が鋭角となるように折り曲げられ、スリーブＳの円周形状に沿うように角度をつけてある（図２参照）。スリーブ押え筋２は、両端部領域２ａが横臥筋１の２本の長辺１ａを横切るようにして、その交点で溶接されている。したがって、“コ”字状のスリーブ押え筋２の端部は、長軸を水平にした横臥筋１から下向きに突出し、スリーブ２を押さえ付けることができる。
【００１２】
図２は、図１に示したスリーブ固定補助金具の使用状態を示す。
まず、コンクリート有効梁の補強金具１０は、１本の金属棒体を一筆書きに折り曲げて、外側環状筋１１と内側環状筋１２の二重形状を形成して構成されている。本例の場合、外側環状筋１１は八角形に形成され、内側環状筋１２は、外側環状筋１１の４辺に角部が接するようにした四角形に形成される。そして、金属棒体の両端部分は、スリーブ支持筋１３として、外側環状筋１１及び内側環状筋１２と直交して環状筋内方へ上向きに突出するように、折り曲げられている。このようにして環状筋内方へ突出する２本のスリーブ支持筋１３は、スリーブＳの円周形状に沿うように角度がついており、スリーブＳを下支えする。なお、本例の場合、スリーブＳを支持するスリーブ支持筋１３及びスリーブＳを押えるスリーブ押え筋２の先端にプラスチックャップＣが嵌め込まれ、紙管スリーブＳを傷つけないよう保護してある。
【００１３】
補強金具１０は、梁を構成する主筋の間において、主筋及びあばら筋のいずれか又は両方に結束等で固定される。このときの補強金具１０の向きは、環状筋１１，１２の対角線方向がスリーブＳの直径方向に沿い、そして、スリーブＳを支持するべくスリーブ支持筋１３がスリーブＳの下側になる。当該補強金具１０のスリーブ支持筋１３により支持して環状筋内にスリーブＳを配置した後、該スリーブＳの上側に、スリーブ固定補助金具を固定する。
【００１４】
スリーブＳを環状筋内に配置すると、該スリーブＳの上側には、内側環状筋１２の四角形の角部が位置することになる。すなわち、スリーブＳにより形成される梁の貫通孔の上側には、水平方向に筋の無い部位が比較的広く存在するが、この梁の貫通孔上側部分は、貫通孔周囲のその他の部位に比べて経時的にひびの発生し易い箇所である。これに対し、スリーブ固定補助金具の横臥筋１を当該部位に配置することにより、補強する。
【００１５】
スリーブ固定補助金具は、環状筋内に配置したスリーブＳの上側において、横臥筋１を環状筋１１，１２の一方又は両方に結束して固定される。これにより横臥筋１は、図示のように、長軸がスリーブＳの直径方向に沿い且つほぼ水平（見た目で水平な程度）となるように環状筋１１，１２に固定される。横臥筋１を環状筋１１，１２に固定すると、該横臥筋１から下向きに突出するスリーブ押え筋２の端部が、スリーブ支持筋１３により支持されたスリーブＳを上から押える。したがって、金属棒体からなる補強金具１０のスリーブ支持筋１３と、同じく金属棒体からなる補助金具のスリーブ押え筋２とで、上下からスリーブを挟み込んで固定する状態を得られ、コンクリート打設時の圧力や振動にも耐えてスリーブの位置をより確実に定位置に保持し得る。
【００１６】
この横臥筋１の固定により、スリーブＳの上側には、横臥筋１の上下２本の長辺１ａが水平方向に延在することになる。したがって、経時的に一番ひびの発生し易い箇所が２本の長辺１ａによる鉄筋で補強される構造となる。横臥筋１は１本の金属棒体から形成されているから、補強をなす上下２本の長辺１ａは両端の短辺１ｂで連続した一筆書きの一体のものであり、１本の補強筋又は上下２本が別体である補強筋を入れる場合に比べて補強力に優れる。また、補強力（ひび割れに対抗する能力）をより向上させるために、図２に示すように、横臥筋１の長軸長さをあばら筋の間隔以上としておき、長辺１ａ又は短辺１ｂをあばら筋に固定するとなおよい。
【００１７】
図３は、スリーブ固定補助金具の第２実施形態を示す。
第２実施形態のスリーブ固定補助金具は、第１実施形態と同じ横臥筋３に、別体の２本のスリーブ押え筋４を固着させたものである。すなわち、横臥筋３は、１本の金属棒体を長方形に折り曲げて、端面を突き合わせて溶接することにより、２本の長辺３ａがその両端の短辺３ｂで連続した一筆書きのものとして形成される。この横臥筋３に固着させたスリーブ押え筋４は、同じ長さの２本の金属棒体を、横臥筋３の２本の長辺３ａを横切るように配置して、その交点で溶接して形成される。２本別体のスリーブ押え筋４は、互いに平行ではなく、スリーブＳの円周形状に沿うように角度をつけてある（逆ハの字）。スリーブ押え筋４の端部は、長軸を水平にした横臥筋３から下向きに突出し、スリーブＳを押さえ付ける。
【００１８】
図４は、スリーブ固定補助金具の第３実施形態を示す。
第３実施形態のスリーブ固定補助金具は、第１実施形態と同じ横臥筋５に、１本のスリーブ押え筋６を固着させたものである。すなわち、横臥筋５は、１本の金属棒体を長方形に折り曲げて、端面を突き合わせて溶接することにより、２本の長辺５ａがその両端の短辺５ｂで連続した一筆書きのものとして形成される。この横臥筋５に固着させたスリーブ押え筋６は、１本の金属棒体を、横臥筋５の２本の長辺５ａの真ん中を横切るように直交配置して、その交点で溶接して形成される。スリーブ押え筋６の端部は、長軸を水平にした横臥筋５から下向きに突出し、スリーブＳを押さえ付ける。
【００１９】
第３実施形態のスリーブ押え筋６に比べて第１実施形態のスリーブ押え筋２は、２本でスリーブＳを押えるので、スリーブを押さえたときの安定感に優れる。また、２本が別体である第２実施形態のスリーブ押え筋４に対し、第１実施形態のスリーブ押え筋２は両端部領域２ａが中間領域２ｂにより連続した一体ものなので、第１実施形態のスリーブ固定補助金具の方が耐久力に優れる。
【符号の説明】
【００２０】
１  横臥筋
１ａ  長辺
１ｂ  短辺
２  スリーブ押え筋
２ａ  端部領域
２ｂ  中間領域
３  横臥筋
３ａ  長辺
３ｂ  短辺
４  スリーブ押え筋
５  横臥筋
５ａ  長辺
５ｂ  短辺
６  スリーブ押え筋
１０  補強金具
１１  外側環状筋
１２  内側環状筋
１３  スリーブ支持筋
【図１】
2012052315.tif 000003
【図２】
2012052315.tif 000004
【図３】
2012052315.tif 000005
【図４】
2012052315.tif 000006